(57)【要約】      （修正有）【課題】文字若しくは図案を、予め設定された光の照射角度で常時点灯若しくは点滅させることにより、後方車両に対して注意を促すことができる自転車用ライト装置を提供する。【解決手段】前蓋１１及び後蓋１２から構成される筐体１と、板形状で且つ導光材質で構成された導光部２１を含み、凹状点若しくは凹状線により配列した異なる文字若しくは図案を用いて形成されると共に導光部２１からの光を予め設定された照射角度で外に向かって照射する逆光部２２を、導光部２１の表面に設けて筐体１内に設置されるディスプレイ体２と、電子回路の前縁両側に光源部品を設け、これら光源部品の投光点をディスプレイ体２の側辺に設けた回路板と、後蓋１２の滑動部に嵌合する台座体、及び自転車サドル下方立管等に挟む挟持部品６２を有する挟持具６とを有して構成される。【選択図】図１
0003152474.tif 000002
【実用新案登録請求の範囲】
【請求項１】
フレーム形状の前蓋及び箱形状の後蓋から構成され、前記後蓋に装着用の滑動部と電池を収容する電池収容部とを有する筐体と、
板形状で且つ導光材質で構成された導光部を含み、凹状点若しくは凹状線により配列した異なる文字若しくは図案を用いて形成されると共に前記導光部からの光を予め設定された照射角度で外に向かって照射する逆光部を、前記導光部の表面に設けて前記筐体内に設置されるディスプレイ体と、
前記電池からの電力が供給された電子回路を有し、この電子回路の前縁両側に一個若しくは一個以上の複数個の光源部品を設け、これら光源部品の投光点を前記ディスプレイ体の側辺に設けた回路板と、
前記筐体の後蓋の滑動部に嵌合する台座体、及び自転車サドル下方立管若しくはその他の位置に挟む挟持部品を有する挟持具と、を含む自転車用ライト装置であって、
前記筐体、前記ディスプレイ体、前記回路板及び前記挟持具を組み合わせて前記自転車用ライト装置を構成し、前記回路板の電子回路の制御によって、前記光源部品を点灯させて光を発し、更に前記光源部品が投射する光を前記ディスプレイ体の側辺から前記導光部に沿って前進させた後、前記逆光部で外に向かって反射し、当該逆光部の文字若しくは図案を常時点灯若しくは点滅させるように構成したことを特徴とする自転車用ライト装置。
【請求項２】
前記ディスプレイ体と前記回路板との間に、前記逆光部の前記文字若しくは図案の輪郭を強調して表示するためのバックライトボードを挟んで設置したことを特徴とする請求項１記載の自転車用ライト装置。
【請求項３】
前記ディスプレイ体の逆光部の前記凹状点若しくは凹状線は、必要に応じて三角形、菱形、円形若しくはその他光を反射する形状に構成したことを特徴とする請求項１記載の自転車用ライト装置。
【請求項４】
前記回路板に設置した光源部品は、異なる色の発光ダイオードであることを特徴とする請求項１記載の自転車用ライト装置。
【請求項５】
前記回路板は、自転車用発電機に接続可能なコンセットを有し、このコンセントを介して前記自転車用発電機に接続して、自転車の走行中、常に前記筐体内に装着された電池を充電することを特徴とする請求項１記載の自転車用ライト装置。
【考案の詳細な説明】
【技術分野】
【０００１】
本考案は、自転車用ライト装置に係り、特に一種の自転車に取り付けて後方車に対して注意を促すことの可能なディスプレイ体を備えた自転車用ライト装置に関する。
【背景技術】
【０００２】
一般の自転車は、前方に光りを発するライト装置以外に、後方車両に注意を促すための光を発生するライト装置については付加されていない。このため、自転車は、夜間走行時の安全を確保するために、該自転車の後方に反射板を取り付けていた。
【０００３】
ところが、このような反射板は、上手く反射、点灯することができないことがあり、後方車両に自分の存在を伝えることが出来ず、暗がりの中での走行に危険が伴う等、効果は低い。  
そこで、従来では、光を発する光源を備えた自転車用ライト装置が開発されている。
【０００４】
このような自転車用ライト装置は、電球若しくは発光ダイオード等の光源を備えて光を照射するライト器具として構成するものであって、ライト器具の表面にライト面を形成することにより、後方車両に対する注意効果を得ている（例えば、特許文献１、２参照）。
【０００５】
また、この種の従来の自転車用ライト装置としては、例えば特許文献３、４に記載されているように、シート状蛍光ランプを光源としたライト器具を自転車用発電機から通電して発光させたり、或いは反射板の中に取り付けた電球にリード線を介して自家用発電機に取り付けて点灯させたりする自転車用ライト装置がある。
【先行技術文献】
【特許文献】
【０００６】
【特許文献１】台湾  特許第Ｍ３０１１７９号公報
【特許文献２】台湾  特許第Ｍ２６３２８８号公報
【特許文献３】実用新案登録第３０７００８２号公報
【特許文献４】特開２００４−２１７０６７号公報
【考案の概要】
【考案が解決しようとする課題】
【０００７】
解決しようとする問題点は、特許文献１、２及び４を含む従来の自転車用ライト装置では、光る機能を備えているだけで、文字若しくは図案を照らしたり、点滅させたりするものではなく、後方車両に対する注意効果が低い点である。
【０００８】
また、特許文献３に記載の自転車用ライト装置では、シート状平面蛍光ランプの表面に文字や記号或いは各種の模様を単に印刷して構成したことが開示されているが、後方車両に対して照射する光の照射角度については述べられてはおらず、シート状平面蛍光ランプの表面に文字や記号或いは各種の模様を単に印刷して構成したのみでは、満足する後方車両に対する注意効果が得られないといった問題点がある。
【０００９】
そこで、本考案は上記問題点に鑑みてなされたもので、文字若しくは図案を、予め設定された光の照射角度で常時点灯若しくは点滅させることにより、後方車両に対して注意を促すことができる自転車用ライト装置を提供することを目的とする。
【課題を解決するための手段】
【００１０】
本考案の自転車用ライト装置は、フレーム形状の前蓋及び箱形状の後蓋から構成され、前記後蓋に装着用の滑動部と電池を収容する電池収容部とを有する筐体と、板形状で且つ導光材質で構成された導光部を含み、凹状点若しくは凹状線により配列した異なる文字若しくは図案を用いて形成されると共に前記導光部からの光を予め設定された照射角度で外に向かって照射する逆光部を、前記導光部の表面に設けて前記筐体内に設置されるディスプレイ体と、前記電池からの電力が供給された電子回路を有し、この電子回路の前縁両側に一個若しくは一個以上の複数個の光源部品を設け、これら光源部品の投光点を前記ディスプレイ体の側辺に設けた回路板と、前記筐体の後蓋の滑動部に嵌合する台座体、及び自転車サドル下方立管若しくはその他の位置に挟む挟持部品を有する挟持具と、を含む自転車用ライト装置であって、前記筐体、前記ディスプレイ体、前記回路板及び前記挟持具を組み合わせて前記自転車用ライト装置を構成し、前記回路板の電子回路の制御によって、前記光源部品を点灯させて光を発し、更に前記光源部品が投射する光を前記ディスプレイ体の側辺から前記導光部に沿って前進させた後、前記逆光部で外に向かって反射し、当該逆光部の文字若しくは図案を常時点灯若しくは点滅させるように構成したことを特徴とする。
【考案の効果】
【００１１】
本考案の自転車用ライト装置は、文字若しくは図案を、予め設定された光の照射角度で常時点灯若しくは点滅させることにより、後方車両に対して注意を促すことができるといった利点がある。
【図面の簡単な説明】
【００１２】
【図１】本考案の実施例に係る自転車用ライト装置の斜視図。
【図２】図１の自転車用ライト装置を別の角度からの見た斜視図。
【図３】本実施例の自転車用ライト装置の分解斜視図。
【図４】図３の自転車用ライト装置を別の角度から見た分解斜視図。
【図５】図４のディスプレイ体の断面図。
【図６】本実施例の自転車用ライト装置を自転車に取り付けた場合の使用説明図。
【図７】本実施例の変形例１を示す自転車用バックライト装置の分解斜視図。
【図８】本実施例の変形例２を示す挟持具の斜視図。
【図９】本実施例の変形例２の自転車用ライト装置の使用例を説明するための説明図。
【考案を実施するための形態】
【００１３】
以下、図面を参照して本考案の実施例について説明する。  
［実施例］
図１から図６は、本考案に係る自転車用ライト装置の一実施例を示し、図１は、本考案の実施例に係る自転車用ライト装置の斜視図、図２は、図１の自転車用ライト装置を別の角度からの見た斜視図、図３は、本実施例の自転車用ライト装置の分解斜視図、図４は、図３の自転車用ライト装置を別の角度から見た分解斜視図、図５は、図４のディスプレイ体の断面図、図６は、本実施例の自転車用ライト装置を自転車に取り付けた場合の使用説明図である。
【００１４】
図１から図４に示すように、本実施例の自転車用ライト装置は、主に、筐体１と、該筐体１内に順に配列設置したディスプレイ体２と、バックライトボード３と、回路板４と、該回路板４に設置した複数個の光源部品５と、筐体１の後縁に設置した挟持具６と、を有して構成される。
【００１５】
筐体１は、フレーム形状の前蓋１１及び箱形状の後蓋１２を有して構成される。前蓋１１には、前記ディスプレイ体２の表面を露出するための開口が設けられている。
【００１６】
この前蓋１１に取り付ける後蓋１２には、電池７を納置する電池収容部１２１と、電池収容部１２１に蓋をする蓋体１２２と、電池収容部１２１下方に配置された装着用の滑動部１２３とが設けられている。
【００１７】
また、滑動部１２３内縁には、挟持具６と掛合する掛合孔１２４が設けられている。更に、後蓋１２の滑動部１２３の一側には、スイッチ通孔１２５が設けられている（図３及び図４参照）。
【００１８】
ディスプレイ体２は、板形状で且つ導光材質で構成された導光部２１を有して構成される。この導光部２１の表面には、凹状点若しくは凹状線により配列した異なる文字若しくは図案を用いて形成されると共に前記導光部２１からの光を予め設定された照射角度で外に向かって照射する逆光部２２（例として本実施例ではSTOP文字とする）が設けられている。
【００１９】
このような逆光部２２は、導光部２１の表面が適度な深さの凹状点若しくは凹状線が内向きに陥没して形成されたもので、凹状点若しくは凹状線は、必要に応じた図案により、三角形、菱形、円形若しくはその他光源部品５からの光を反射して照射する形状に形成されている。
【００２０】
尚、前記逆光部２２の予め設定された照射角度とは、例えば導光部２１からの光を、後方車両に対して注意を促すのに適した照射角度で照射する角度である。
【００２１】
例えば、逆光部２２は、図５に示すように、文字若しくは図案がＶ字溝によって形成され、このＶ字溝を形成する内面は、導光部２１からの光を外に向かって広範囲で拡がるように照射する照射角度に設定されている。勿論、図５に示すような照射角度に限定されるものではなく、適宜この照射角度を変更して前記逆光部２２を構成しても良い。
【００２２】
バックライトボード３は、ディスプレイ体２と回路板４の間に挟んで設置される。このバックライトボード３は、前記逆光部２２の前記文字若しくは図案の輪郭を強調して表示するための部材である。
【００２３】
回路板４は、電池７からの電力が供給される電子回路を有し、この電子回路の前縁両側に一個若しくは一個以上の複数個の光源部品５（異なる色の発光ダイオードでも良い）を設け、これら光源部品５を、ディスプレイ体２の側辺の光源部品５の投光点５１に対応させるように設けている。
【００２４】
また、回路基板４の後縁には、接触バネ片４１、４２が設けられている。これらの接触バネ片４１、４２は、後蓋１２の電池収容部１３内に差し込んで装着される。そして、電池７が電池収容部１３内に収容された際には、該電池７の正、負極電圧は、接触バネ片４１、４２によって前記電子回路へ導電される。更にスイッチ４３は、筐体１の後蓋１２のスイッチ通孔１２５から出して露出させる。
【００２５】
挟持具６は、筐体１の後蓋１２の滑動部１２３に嵌合する台座体６１、及び自転車サドル下方立管若しくはその他の位置に挟む挟持部品６２を有して構成される（図３参照）。
【００２６】
台座体６１前縁には、下向きに延びる中空状のバネ片６１１が設けられ、このバネ片６１１の表面には、凸条６１１１が設けられている。また、台座体６１の後縁には、円軸状の固定片６１２が設けられ、この固定片６１２には、固定孔６１２１が設けられている。
【００２７】
挟持部品６２は、環体で、その一端には開いた状態の固定部６２１が設けられている。この固定部６２１には、固定孔６２１１が設けられている。挟持具６１の別端には、凸耳６２２が設けられ、この凸耳６２２には、固定孔６２２１が設けられている。
【００２８】
この挟持部品６２は、凸耳６２２を台座体６１の固定片６１２に差し込み、ネジ６３を固定孔６１２１、６２２１に入れてナット６４で螺合することにより、台座体６１に固定される。この場合、挟持部品６２の凸耳６２２を支点として上、下に回動することにより、挟持部品６２に対する台座体６１の角度調整が可能である。
【００２９】
本実施例では、上述した前記筐体１、ディスプレイ体２、バックライトボード３、回路板４、及び挟持具６を適宜組み立てることによって、自転車用ライト装置を構成する。
【００３０】
また、本実施例の自転車用ライト装置を自転車に取り付ける場合には、使用者は、図６に示すように、挟持具６の挟持部品６２を自転車サドル下方の立管若しくはその他位置に挟んで取り付け、ネジ６５及びナット６６を用いて該ネジ６５を螺合することにより、固定部６２１の固定孔６２１１を閉めることで該挟持部品６２を固定する。
【００３１】
次に、使用者は、筐体１の後蓋１２の滑動部１２３に、挟持具６の台座体６１を嵌合し、更に凸条６１１１と掛合孔１２５を相互に掛合して固定する。これにより、本実施例の自転車用ライト装置が自転車に取り付けられ、使用可能状態となる。
【００３２】
その後、使用者は、自転車用ライト装置を使用する場合には、スイッチ４３を押下することより電源をオンする。すると、スイッチ４３により電源がオンされると、電池７の電力が回路板４の電子回路に供給され、該回路板４の電子回路の制御により、光源部品５が点灯又は点滅して光を発生する。
【００３３】
すると、光源部品５が発光する光は、ディスプレイ体２側辺の光源部品５の投光点５１から導光部２１に沿って前へ進み、各逆光部２２により、予め設定された照射角度で外に向かって照射される。
【００３４】
この場合、この逆光部２２は、構成文字若しくは図案を形成しており、すなわち、図５に示すように、導光部２１表面に凹状点若しくは凹状線で形成された異なる文字若しくは図案を形成している。このため、この逆光部２２は、あたかも構成文字若しくは図案が点灯若しくは点滅しているように光が照射され、且つ光が予め設定された照射角度で照射されることにより、後方車両に対して注意を促すことが可能となる。  
尚、光源部品５は、常時点灯若しくは点滅させるように前記電子回路によって制御が可能である。
【００３５】
また、本実施例では、ディスプレイ体２後方にバックライトボード３を設けたことにより、ディスプレイ対２の逆光部２２を形成する文字若しくは図案の輪郭を強調してはっきりと表示することができる。
【００３６】
図６は、本実施例の自転車用ライト装置を自転車に取り付けた場合の使用状態の一例を示している。図６に示すように、本実施例の自転車用ライト装置を使用する場合、挟持具６の挟持部品６２を自転車８のサドル８１の下方の立管８２若しくはその他の位置に挟み、ネジ６５及びナット６６を用いてネジ６５を螺合することにより、固定部６２１の固定孔６２１１を閉めて固定する。この場合、挟持部品６２の凸耳６２２を支点として上、下に回動することにより、挟持部品６２に対する台座体６１の角度調整を行う。
【００３７】
そして、上記したように、電源をオンすると、回路板４の電子回路制御によって光源部品５が点灯して光を発生し、更に光源部品５が発光した光は、ディスプレイ体２側辺の光源部品５の投光点５１から導光部２１に沿って前進し、各逆光部２２により予め設定された照射角度で外に向かって照射される。
【００３８】
この場合、導光部２１表面に凹状点若しくは凹状線で形成された異なる文字若しくは図案を形成しているため、この逆光部２２は、あたかも構成文字若しくは図案が点灯若しくは点滅しているように光が照射され、且つ光が予め設定された照射角度で照射されることにより、後方車両に対して注意を促すことが可能となる。
【００３９】
本実施例では、図６に示すように、逆光部２２が“STOP”の文字で表示されるので、後方車に注意を促すことを効果的に行えるので、自転車走行の安全を向上させることが可能となる。
【００４０】
従って、本実施例によれば、文字若しくは図案を、予め設定された光の照射角度で常時点灯若しくは点滅させることにより、後方車両に対して注意を促すことができる自転車用ライト装置の実現が可能となる。
【００４１】
尚、本実施例において、自転車用ライト装置における電源は、電池７を電源とする他に、図７の変形例１に示すように、回路板４に自転車用発電機に接続可能な電源コンセット４４を設け、この電源コンセント４４を介して前記自転車用発電機に接続して、自転車の走行中、常に前記筐体１内に装着された電池７を充電するように構成しても良い。これにより、電池７を充電するので、電池７を交換する必要がない。
【００４２】
また、本実施例において、自転車用ライチ装置は、図８及び図９の変形例２に示すように構成しても良い。すなわち、自転車用ライチ装置のディスプレイ体２は、図９に示すように、導光部２１の表面に凹状線で異なる文字若しくは図案を配列した逆光部２２を設けて構成しても良い。図９中に示すのは“地区巡回隊”の字模様である。
【００４３】
また、挟持具６（図２参照）に代えて、図８に示すＮ字形の挟持部品９を設け、この挟持部品９の一片を、筐体１の後蓋１２に設けられた滑動部１２３に嵌合して取り付けても良い。
【００４４】
この場合、自転車用ライチ装置は、Ｎ字形の挟持部品９のうちの他片を、例えば図９に示すように、使用者のベルトに挟み、使用者が例えば夜に巡回する時の移動目的を表示することで、自転車使用時の形態とは異なる注意効果を高めることができる。
【００４５】
さらに、本実施例において、筐体１の前蓋１１と後蓋１２との間に、パッキング部材を設けて前蓋１１と後蓋１２とを封止するように構成しても良い。これにより、雨天の使用時の際の、筐体１内部へ水の浸入を防ぎ、自転車用ライト装置の点灯機能の安定化を図れる。
【００４６】
本考案は、上述した実施例及び変形例に限定されるものではなく、本考案の範囲を逸脱しない範囲での応用や組み合わせも適用される。
【符号の説明】
【００４７】
１…筐体、
２…ディスプレイ体、
３…バックライトボード、
４…回路板、
５…光源部品、
６…挟持具、
７…電池、
８…自転車、
９…挟持部品、
１１…前蓋、
１２…後蓋、
２１…導光部、
２２…逆光部、
４１…接触バネ片、
４２…接触バネ片、
４３…スイッチ、
４４…電源コンセント、
５１…投光点、
６１…台座体、
６２…挟持部品、
６３…ネジ、
６４…ナット、
６５…ネジ、
６６…ナット、
８１…サドル、
８２…立管、
１２１…電池収容部、
１２２…蓋体、
１２３…滑動部、
１２４…掛合孔、
１２５…スイッチ通孔、
６１１…バネ片、
６１１１…凸条、
６１２…固定片、
６１２１…固定孔、
６２１…固定部、
６２１１…固定孔、
６２２…凸耳、
６２２１…固定孔。
【図１】
0003152474.tif 000003
【図２】
0003152474.tif 000004
【図３】
0003152474.tif 000005
【図４】
0003152474.tif 000006
【図５】
0003152474.tif 000007
【図６】
0003152474.tif 000008
【図７】
0003152474.tif 000009
【図８】
0003152474.tif 000010
【図９】
0003152474.tif 000011